(57)【要約】【課題】  光利用効率の低下を抑制し、太陽電池モジュールの平面化が可能な太陽電池セルおよびこれを用いた太陽電池モジュールを提供する。【解決手段】  基材３は、断面形状が略矩形である。基材３は、透明基材からなる。基材３の下面には第１の電極である透明電極５が形成される。基材３の一方の側面には、透明電極５と導通する側面電極１１ａが形成される。透明電極５の下面には、発電層７が形成される。発電層７の下面には、第２の電極である裏面電極９が形成される。基材３の一方の側面（側面電極１１ａが形成される側とは逆側の側面）には、裏面電極９と導通する側面電極１１ｂが形成される。【選択図】図１
2013235958.tif 000002
【特許請求の範囲】
【請求項１】
太陽電池セルであって、
略矩形の基材と、
前記基材の少なくとも一面に形成される第１の電極と、
前記第１の電極に積層するように形成される発電層と、
前記発電層に積層するように形成される第２の電極と、
を具備し、
断面において、
前記基材の一方の側面には、前記第１の電極と導通する第１の導体部が露出し、
前記基材の他方の側面には、前記第２の電極と導通し、前記第１の電極と絶縁された第２の導体部が形成されることを特徴とする太陽電池セル。
【請求項２】
前記第１の電極は、透明電極であって、
前記第１の導体部は前記透明電極と連続して形成され、前記第２の導体部は前記第２の電極と連続して形成され、前記他方の側面では、前記基材側から前記透明電極、前記発電層、前記第２の電極の順に積層されることを特徴とする請求項１記載の太陽電池セル。
【請求項３】
前記透明電極は、前記基材の外周面の全周に形成されることを特徴とする請求項２記載の太陽電池セル。
【請求項４】
断面において、前記太陽電池セルの上縁部が、Ｒ面取りされていることを特徴とする請求項１から請求項３のいずれかに記載の太陽電池セル。
【請求項５】
断面において、前記一方の側面の下端において、前記発電層と前記第２の電極の側端部は、前記第１の導体部の側端面より幅方向の内側にずれて形成され、
前記他方の側面の上端において、前記発電層と前記第２の導体部の側端部は、前記太陽電池セルの上端面より下方にずれて形成されることを特徴とする請求項１から請求項４のいずれかに記載の太陽電池セル。
【請求項６】
前記基材と、前記第１の電極とが一体で構成され、前記基材の全体が前記第１の電極として機能し、
前記第２の電極が、透明電極であることを特徴とする請求項１記載の太陽電池セル。
【請求項７】
請求項１から請求項６のいずれかに記載の太陽電池セルを複数併設し、隣り合う前記太陽電池セルの、互いの前記第１の導体部と前記第２の導体部とを導通させることを特徴とする太陽電池モジュール。
【請求項８】
併設される前記太陽電池セル同士の間には隙間が形成され、前記隙間に導入された導電性部材によって前記第１の導体部と前記第２の導体部とを導通させることを特徴とする請求項７記載の太陽電池モジュール。
【発明の詳細な説明】
【技術分野】
【０００１】
本発明は、テープ形状などの長尺の太陽電池セルおよびこれを用いた太陽電池モジュールに関するものである。
【背景技術】
【０００２】
薄膜系太陽電池で現在主流となっている薄膜シリコン太陽電池は、アモルファスや多結晶などのシリコン層が酸化インジウムスズ（ＩＴＯ）などの透明電極およびＡｌなどの不透明電極で挟まれた構造となっている。これらは一般には金属やガラスなどの平面基板上に形成されていることから、可撓性が乏しく用途が限られる。また透明電極の電気抵抗が高いことから素子分離や金などの低抵抗材のパターニングなどにより電気抵抗による損失を低減することがおこなわれている。しかしこれにより発電に寄与する面積が減少し光利用効率は低下してしまう。
【０００３】
これに対しテープやファイバなどの長尺の太陽電池セルおよびこれらの配列・接続による太陽電池モジュールが開発されている。例えば、電極を備える第１光起電力セルと、電極を備える第２光起電力セルとを用い、第１光起電力セルの電極と第２光起電力セルの電極とを相互接続するモジュールがある（特許文献１）。
【先行技術文献】
【特許文献】
【０００４】
【特許文献１】特開２００６−１２８０２号公報
【発明の概要】
【発明が解決しようとする課題】
【０００５】
しかし、特許文献１では、テープ状太陽電池セルの接続をワイヤなど種々の方法で行うため、太陽電池セルの重なりが生じてしまい光利用効率の低下が発生してしまう。また隣接する太陽電池セルが同一平面上には配置できないことから太陽電池セルモジュール化における配列に困難を伴う。
【０００６】
本発明は、このような問題に鑑みてなされたもので、テープやファイバなどの長尺の太陽電池セルを配列・接続してモジュール化する際の光利用効率の低下を抑制し、配列・接続が容易な長尺の太陽電池セルおよびこれを用いた太陽電池モジュールを提供することを目的とする。
【課題を解決するための手段】
【０００７】
前述した目的を達するために第１の発明は、太陽電池セルであって、略矩形の基材と、前記基材の少なくとも一面に形成される第１の電極と、前記第１の電極に積層するように形成される発電層と、前記発電層に積層するように形成される第２の電極と、を具備し、断面において、前記基材の一方の側面には、前記第１の電極と導通する第１の導体部が露出し、前記基材の他方の側面には、前記第２の電極と導通し、前記第１の電極と絶縁された第２の導体部が形成されることを特徴とする太陽電池セルである。
【０００８】
前記第１の電極は、透明電極であって、前記第１の導体部は前記透明電極と連続して形成され、前記第２の導体部は前記第２の電極と連続して形成され、前記他方の側面では、前記基材側から前記透明電極、前記発電層、前記第２の電極の順に積層されてもよい。
【０００９】
前記透明電極は、前記基材の外周面の全周に形成されてもよい。
【００１０】
断面において、前記太陽電池セルの上縁部が、Ｒ面取りされていてもよい。
【００１１】
断面において、前記一方の側面の下端において、前記発電層と前記第２の電極の側端部は、前記第１の導体部の側端面より幅方向の内側にずれて形成され、前記他方の側面の上端において、前記発電層と前記第２の導体部の側端部は、前記太陽電池セルの上端面より下方にずれて形成されることが望ましい。
【００１２】
前記基材と、前記第１の電極とが一体で構成され、前記基材の全体が前記第１の電極として機能し、前記第２の電極が、透明電極であってもよい。
【００１３】
第１の発明によれば、基材の一方の側面には、第１の電極と導通する第１の導体部が形成され、他方の側面には、第２の電極と導通する第２の導体部が形成される。したがって、各電極を基材の側面同士接触するように併設すれば、互いに導通させることができる。したがって、従来のように、電極同士を他のワイヤ等の部材で接続する必要がない。
【００１４】
また、側面同士を接触させるため、従来のように接続部が重なることがない。このため、発電効率を落とすこともない。さらに、接続部の重なりがないため、平坦な太陽電池モジュールを形成することができる。
【００１５】
また、基材の一方の側面において、透明電極、発電層、第２の電極の順に積層させることで、側面部においても発電を行わせることが可能となる。さらに、透明電極を基材の全周に形成すれば、製造製にも優れる。
【００１６】
また、太陽電池セルの上面側の縁部にＲ面取りを形成することで、太陽電池セル同士を併設した際に、隙間に導電性部材を導入する事が容易となる。
【００１７】
また、一方の側面の下端において、発電層と第２の電極の側端部とを、第１の導体部の側端面より幅方向の内側にずらすことで、第２の電極と第１の導体部との短絡を防止することができる。同様に、他方の側面の上端において、発電層と第２の導体部の側端部を、太陽電池セルの上端面より下方にずらすことで、第２の電極と第１の導体部との短絡を防止することができる。
【００１８】
第２の発明は、第１の発明にかかる太陽電池セルを複数併設し、隣り合う前記太陽電池セルの、互いの前記第１の導体部と前記第２の導体部とを導通させることを特徴とする太陽電池モジュールである。
【００１９】
併設される前記太陽電池セル同士の間には隙間が形成され、前記隙間に導入された導電性部材によって前記第１の導体部と前記第２の導体部とを導通させることが望ましい。
【００２０】
第２の発明によれば、平坦な太陽電池モジュールを得ることができる。この際、太陽電池セル同士の隙間に導電性部材が導入されることで、側面の電極同士を確実に導通させることができる。
【発明の効果】
【００２１】
本発明によれば、光利用効率の低下を抑制し、太陽電池モジュールの平面化が可能な太陽電池セルおよびこれを用いた太陽電池モジュールを提供することができる。
【図面の簡単な説明】
【００２２】
【図１】（ａ）は太陽電池セル１を示す断面図、（ｂ）は（ａ）のＡ部拡大図。
【図２】（ａ）は複数の太陽電池セル１を併設して接合した太陽電池モジュールを示す図、（ｂ）は（ａ）のＤ部拡大図。
【図３】（ａ）は太陽電池セル１ａを示す断面図、（ｂ）は（ａ）のＧ部拡大図。
【図４】太陽電池セル１ｂを示す断面図。
【図５】太陽電池セル２０を示す断面図。
【図６】太陽電池セル３０を示す断面図。
【図７】太陽電池セル４０を示す断面図。
【図８】太陽電池セル１ｂのモジュール化方法を示す図。
【図９】太陽電池セル１ｃのモジュール化方法を示す図。
【発明を実施するための形態】
【００２３】
以下、図面を参照しながら、本発明の実施形態について説明する。図１は、太陽電池セル１を示す図であり、図１（ａ）は断面図、図１（ｂ）は図１（ａ）のＡ部拡大図である。なお、太陽電池セル１は、例えば長尺部材であり、図１（ａ）は、この長手方向に垂直な断面を示す図である。太陽電池セル１は、基材３、透明電極５、発電層７、裏面電極９等から構成される。
【００２４】
基材３は、断面形状が略矩形である。基材３は、透明基材からなり、例えば、石英、テンパックス（ドイツの特殊ガラスメーカー「ＳＣＨＯＴＴ  ＪＥＮＡｅｒ  ＧＬＡＳ  ＧｍｂＨ」社の商品名）などのガラス、もしくはポリエチレンテレフタレート、ポリカーボネイトなどの樹脂を用いることができる。基材３の大きさについては特に規定はないが、望ましくは幅５０ｍｍ以下、厚さ２００μｍ以下が望ましく、さらに好ましくは幅３０ｍｍ以下、厚さ１００μｍ以下である。このような厚みにすることで、太陽電池セル１に可撓性を持たせることができる。
【００２５】
基材３の下面には第１の電極である透明電極５が形成される。透明電極５は、例えばＩＴＯ、酸化スズ、酸化亜鉛などで構成される。また、透明電極５は、例えば、スパッタ、熱ＣＶＤ、塗布焼結などにより成膜される。なお、透明電極５としては、厚さは１００ｎｍ程度、表面粗さＲａは５ｎｍ程度とする。
【００２６】
基材３の一方の側面（図中右側）には、透明電極５と導通する側面電極１１ａが形成される。すなわち、透明電極５および側面電極１１ａは、基材３の下面と、一方の側面側に連続して断面略Ｌ字状に形成される。なお、第１の導体部である側面電極１１ａは、透明電極５とは異なる導体で構成されてもよく、透明電極５と一体で同一素材により形成されても良い。以下、側面電極１１ａが透明電極５の一部であるとして説明する。
【００２７】
透明電極５の下面には、透明電極５に積層するように発電層７が形成される。発電層７は、光電変換をおこなう光活性層である。発電層７の材質としては、例えば、シリコン系、合金系、有機系などを用いることができる。また、発電層７は、例えば、プラズマＣＶＤ、熱ＣＶＤ、塗布焼結などにより成膜される。発電層７は、側面電極１１ａが形成される側とは逆側の側面（図中左側）の側面まで連続して形成される。すなわち、発電層７は、基材３（透明電極５）の下面と、一方の側面側に連続して、透明電極５とは逆向きの断面略Ｌ字状に形成される。
【００２８】
発電層７の下面には、発電層７に積層するように第２の電極である裏面電極９が形成される。裏面電極９の材質としては、例えばアルミニウム、銅、金、およびこれらの合金等の導体を用いることができる。また、裏面電極９は、例えば、真空蒸着、スパッタ、プラズマＣＶＤ、溶射、熱ＣＶＤ、塗布焼結、めっきなどにより成膜することができる。
【００２９】
基材３の一方の側面（側面電極１１ａが形成される側とは逆側の側面であって図中左側）には、裏面電極９と導通する側面電極１１ｂが形成される。すなわち、裏面電極９および側面電極１１ｂは、基材３の下面と一方の側面側に連続して、発電層７と同一の向きの断面略Ｌ字状に形成される。したがって、裏面電極９および側面電極１１ｂは、発電層７を覆うように形成される。
【００３０】
なお、第２の導体部である側面電極１１ｂは、裏面電極９とは異なる導体で構成されてもよく、裏面電極９と一体で同一素材により形成されても良い。以下、側面電極１１ｂが裏面電極９の一部であるとして説明する。
【００３１】
図１（ｂ）に示すように、側面電極１１ａの下端（透明電極５の端部）において、発電層７、裏面電極９は、それぞれ段状に形成される。すなわち、発電層７の側端部が、側面電極１１ａ側端面から、幅方向の内側（図中左側）に距離Ｂだけずれて形成される。同様に、裏面電極９の側端部は、発電層７の側端面より幅方向の内側（図中左側）に距離Ｃだけずれて形成される。
【００３２】
このようにすることで、透明電極５（側面電極１１ａ）、発電層７、裏面電極９を形成する際に、互いに短絡することを防ぐことができる。また、後述する太陽電池セル同士を併設した際に、意図しない電極同士が短絡することを防止することができる。
【００３３】
なお、太陽電池セル１は、以下のように製造することができる。まず、基材３の所定の面に透明電極５を形成する。なお、側面電極１１ａが透明電極５とは別部材である場合には、別々に形成される。透明電極５を基材３の下面および一方の側面に形成するためには、例えば、他の面にマスクを施して、気相法によって形成しても良く、または、基材３を斜めに配置して、２面同時に薄膜を塗布等行っても良い。
【００３４】
次に、透明電極５の下面および基材３の側面に、発電層７を形成する。さらに、発電層７の外面に、裏面電極９を形成する。なお、発電層７および裏面電極９を所定の２面に形成する方法は、透明電極５の形成方法と同様にすればよい。
【００３５】
以上により形成された長尺の太陽電池セル１は、必要に応じて封止処理が行われる。封止方法としてはラミネート、樹脂被覆などが挙げられる。また、必要に応じて、光電変換効率等の特性向上のための熱処理等を適宜実施してもよい。
【００３６】
次に、太陽電池セル１を用いた太陽電池モジュールについて説明する。図２（ａ）は、太陽電池モジュールの部分拡大図であり、図２（ｂ）は図２（ａ）のＤ部拡大図である。太陽電池モジュールは、本発明の太陽電池セル１が複数併設されて構成される。この際、隣り合う太陽電池セル１の、互いの側面電極１１ａ、１１ｂ同士が導通する。すなわち、隣り合う太陽電池セル１の、互いの透明電極５と裏面電極９が導通する。したがって、複数の太陽電池セル１が直列に接続されて、太陽電池モジュールを構成することができる。
【００３７】
なお、図２（ｂ）に示すように、隣り合う側面電極１１ａ、１１ｂをより確実に導通させるためには、側面電極１１ａ、１１ｂの隙間に、導電性部材１３を配置してもよい。導電性部材１３は、例えば金属ナノ粒子など含む導電性インクである。このようにすることで、側面電極１１ａ、１１ｂのわずかな凹凸等によって、接触不良等が生じることを防止することができる。
【００３８】
なお、導電性部材１３は、太陽電池セル１の上部より導入される（図中矢印Ｅ方向）。この際、側面電極１１ａ、１１ｂの隙間に、導電性部材１３を導入しやすくするために、太陽電池セル１の上縁部には、Ｒ面取りを施すことが望ましい。例えば、２０μｍ程度のＲを形成することで、導電性部材１３を導入しやすくなる。また隣接するセルにおける同種電極間の短絡を防ぐため、図に示すようにセル間の接続に寄与しない箇所に絶縁部６を形成するのが望ましい。形成方法については特に問わないが、熱硬化や光硬化性樹脂の塗布形成や充填などが望ましい。
【００３９】
以上、本実施の形態によれば、太陽電池セル１は、ワイヤ等の部材を用いることなく側面同士の接触により電気的に接続することができる。このため、太陽電池セル１同士を端部で重ね合わせる必要がない。したがって、発電効率が高い。また、太陽電池セル１を併設すれば良いため、電極同士の接合作業も不要である。
【００４０】
また、太陽電池セル１同士を接続する際に、互いのラップ部が形成されないため、太陽電池セル１を平坦に併設することができる。したがって、太陽電池モジュールを薄くすることができる。
【００４１】
また、透明電極５、発電層７、裏面電極９の端部が積層されて露出する部位においては、段差が形成されるため、透明電極５と裏面電極９とが誤って導通することがない。
【００４２】
また、太陽電池セル１同士の隙間に導電性部材１３が形成されるため、確実に太陽電池セル１同士を導通させることができる。また、太陽電池セル１の上縁部がＲ面取りされるため、導電性部材１３を太陽電池セル１同士の隙間に容易に導入することができる。
【００４３】
次に、第２の実施の形態について説明する。なお、以下の説明において、太陽電池セル１と同一の機能を奏する構成については、図１と同一の符号を付し、重複する説明を省略する。図３は、太陽電池セル１ａを示す図であり、図３（ａ）は断面図、図３（ｂ）は図３（ａ）のＧ部拡大図である。
【００４４】
太陽電池セル１ａは太陽電池セル１と同様の構成であるが、透明電極５の態様が異なる。太陽電池セル１ａでは、透明電極５は、側面電極１１ａと合わせると、基材３の３面に形成される。すなわち、基材３の下面および両側面に形成される。また、発電層７は、側面電極１１ａを除く透明電極５の外面に形成される。
【００４５】
太陽電池セル１ａにおいても、側面電極１１ａの下端（透明電極５の端部）において、発電層７、裏面電極９は、それぞれ段状に形成される。すなわち、図３（ａ）のＦ部は、図１（ｂ）と同様に形成される。
【００４６】
また、図３（ｂ）に示すように、太陽電池セル１ａでは、側面電極１１ａが形成される側とは逆の側面の上端において、発電層７、側面電極１１ｂ（裏面電極９）は、それぞれ段状に形成される。すなわち、発電層７の上端部が、透明電極５の上端面から下方に距離Ｈだけずれて形成される。また、裏面電極９の上側端部は、発電層７の上端面より下方に距離Ｉだけずれて形成される。このようにすることで、透明電極５、発電層７、側面電極１１ｂ（裏面電極９）を形成する際に、互いに短絡することを防ぐことができる。
【００４７】
第２の実施にかかる太陽電池セル１ａによれば、太陽電池セル１と同様の効果を得ることができる。また、太陽電池セル１ａでは、側面においても、透明電極５、発電層７、側面電極１１ｂ（裏面電極９）が積層されるため、この部位においても、発電に寄与させることができる。
【００４８】
次に、第３の実施の形態について説明する。図４は、太陽電池セル１ｂを示す図である。太陽電池セル１ｂは太陽電池セル１ａと同様の構成であるが、透明電極５の態様が異なる。太陽電池セル１ｂでは、透明電極５は、側面電極１１ａとあわせると、基材３の全周に形成される。
【００４９】
なお、太陽電池セル１ｂにおいても、側面電極１１ａの下端（透明電極５の端部）において、発電層７、裏面電極９は、それぞれ段状に形成される。また、側面電極１１ａが形成される側とは逆の側面の上端において、発電層７、側面電極１１ａ（裏面電極９）は、それぞれ段状に形成される。
【００５０】
第３の実施にかかる太陽電池セル１ｂによれば、太陽電池セル１ａと同様の効果を得ることができる。また、基材３の表面に透明電極５を形成する際、基材３の全面に成膜を行えば良いため、マスク処理等が不要である。
【００５１】
次に、第４の実施の形態について説明する。図５は、太陽電池セル２０を示す図である。太陽電池セル２０は太陽電池セル１等と異なり、発電層７が上面側に形成される。太陽電池セル２０は、電極２１、発電層７、透明電極２５等から構成される。
【００５２】
電極２１は、基材３の上面と、一方の側面（図中左側）に形成される。基材３の他方の側面（図中右側）には、側面電極２３ａが形成される。第１の電極である電極２１と第１の導体部である側面電極２３ａとは導通するように設けられる。なお、側面電極２３ａは、電極２１とは異なる導体で構成されてもよく、電極２１と一体で同一素材により形成されても良い。
【００５３】
電極２１は、前述した裏面電極９と同様の構成とすることができる。また、基材３と電極２１とを一体で構成しても良い。この場合には、基材３および電極２１（側面電極２３ａ）は、銅やアルミニウム、ステンレスなどの金属により一体で構成すればよい。すなわち、この場合には、基材３の部位が全て電極２１で構成される。
【００５４】
電極２１の上面および一方の側面（側面電極２３ａとは逆側の側面であって、図中左側）には、発電層７が形成される。また、発電層７の上面には、第２の電極である透明電極２５が形成される。透明電極２５は、透明電極５と同様の構成である。
【００５５】
基材３の一方の側面（側面電極２３ａが形成される側とは逆側の側面であって図中左側）には、透明電極２５と導通する側面電極２３ｂが形成される。すなわち、透明電極２５および側面電極２３ｂは、基材３の上面と一方の側面側に連続して、発電層７と同一の向きの断面略Ｌ字状に形成される。なお、第２の導体部である側面電極２３ｂは、透明電極２５とは異なる導体で構成されてもよく、透明電極２５と一体で同一素材により形成されても良い。また、側面電極２３ａ、２３ｂは側面電極１１ａ、１１ｂと同様の構成とすることができる。
【００５６】
太陽電池セル２０では、側面電極２３ａの上端（電極２１の端部）において、発電層７、透明電極２５は、それぞれ段状に形成される。すなわち、発電層７の側端部が、側面電極１１ａ側端面から、幅方向の内側（図中左側）にずれて形成される。同様に、透明電極２５の側端部は、発電層７の側端面より幅方向の内側（図中左側）にずれて形成される。
【００５７】
また、側面電極２３ａが形成される側とは逆の側面の下端において、発電層７、側面電極２３ｂ（裏面電極９）は、それぞれ段状に形成される。すなわち、発電層７の上端部が、電極２１の下端面から上方にずれて形成される。また、透明電極２５の下側端部は、発電層７の下端面より上方にずれて形成される。このようにすることで、側面電極２３ｂ（電極２１）、発電層７、側面電極２３ｂ（透明電極２５）を形成する際に、互いに短絡することを防ぐことができる。
【００５８】
第４の実施にかかる太陽電池セル２０を用いても、太陽電池セル１等と同様の効果を得ることができる。
【００５９】
次に、第５の実施の形態について説明する。図６は、太陽電池セル３０を示す図である。太陽電池セル３０は太陽電池セル１ｂと略同様の構成であるが、発電層７ａ、７ｂが形成される点で異なる。太陽電池セル３０では、発電層７に変えて発電層７ａ、７ｂが積層されて形成される。
【００６０】
発電層７ａ、７ｂは、例えば異なる波長の光を吸収して発電する発電層である。したがって、例えば、上部からの光に対し、発電層７ａで吸収されずに発電に寄与しなかった光により発電層７ｂで発電を行うことができる。
【００６１】
第５の実施にかかる太陽電池セル３０を用いても、太陽電池セル１等と同様の効果を得ることができる。
【００６２】
次に、第６の実施の形態について説明する。図７は、太陽電池セル４０を示す図である。太陽電池セル４０は太陽電池セル１ｂが複数段に積層して形成される。すなわち、太陽電池セル４０の上段側には、基材３ａの外周に透明電極５ａ（側面電極１１ａ含む）が配置される。また、透明電極５ａの下面および側面電極１１ａとは逆側の側面に発電層７ａが設けられる。
【００６３】
また、太陽電池セル４０の下段側には、基材３ｂの外周に透明電極５ｂが配置される。透明電極５ｂは、さらに発電層７ａの外側面にも形成される。また、透明電極５ａの下面および側面電極１１ａとは逆側の側面に発電層７ａが設けられる。また、透明電極５ｂの下面および側面電極１１ａとは逆側の側面に発電層７ｂが設けられる。
【００６４】
さらに発電層７ｂの下面には裏面電極９が形成される。また、側面電極１１ａとは逆側の側面全体を覆うように、裏面電極９と導通する側面電極１１ｂが形成される。なお、透明電極５ｂと側面電極１１ｂ（裏面電極９）とが導通しないように、互いに間には絶縁層４１が形成される。
【００６５】
このように構成することで、発電層７ａ、７ｂそれぞれで発電した電力を、側面電極１１ａ、１１ｂから取り出すことができる。なお、各構成に段差をつけて構成する点は前述の実施形態と同様である。
【００６６】
第６の実施にかかる太陽電池セル３０を用いても、太陽電池セル１等と同様の効果を得ることができる。
【００６７】
次に、第７の実施の形態について説明する。図８は、太陽電池セルのモジュール化について示す図である。例えば、図８（ａ）に示す太陽電池セル１ｂを、図８（ｂ）に示すように、ベースシート４５上に複数併設し、接続する。その後、併設された太陽電池セル１ｂの上面から、保護シート４３を貼り付ける。なお、ベースシート４５および保護シート４３は、可撓性を有する。保護シート４３は、例えば透明な樹脂シートである。
【００６８】
なお、外部への配線出しは、保護シート４３の一部を剥いで接続すればよい。または、保護シート４３に、予め配線パターンを形成してもよい。このようにすることで、太陽電池セルを確実に保護することができる。なお、図８において、前述した他の太陽電池セルを用いることができることは言うまでもない。また隣接するセルにおける同種電極間の短絡を防ぐため、図に示すようにセル間の接続に寄与しない箇所に絶縁部６を形成するのが望ましい。形成方法については特に問わないが、熱硬化や光硬化性樹脂の塗布形成や充填などが望ましい。
【００６９】
また、図９（ａ）に示すような、太陽電池セル１ｃを用いることもできる。太陽電池セル１ｃは、太陽電池セル１ｂと略同様であるが、透明電極の一部が長手方向に切断される。縁切りされた透明電極５の一方の側面は、側面電極１１ａとなる。また、他方の側面は、下部で裏面電極９と接続され、側面電極１１ｂとなる。このような構成とすることで、太陽電池セル１ｃの併設前の段階で、保護層４７を形成することができる。なお、保護層４７は、例えば、紫外線硬化樹脂や樹脂フィルムのラミネート等で構成される。
【００７０】
このようにして構成された太陽電池セル１ｃを、ベースシート４５上に複数併設し、接続することで、太陽電池セルをモジュール化することができる。なお、上面に側面電極１１ａ、１１ｂそれぞれと導通する部位が形成されるため、外部への配線出しが容易である。
【００７１】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【符号の説明】
【００７２】
１、１ａ、１ｂ、２０、３０、４０………太陽電池セル
３、３ａ、３ｂ………基材
５、５ａ、５ｂ、２５………透明電極
６………絶縁部
７、７ａ、７ｂ………発電層
９………裏面電極
１１ａ、１１ｂ、２３ａ、２３ｂ………側面電極
１３………導電性部材
２１………電極
４１………絶縁層
４３………保護シート
４５………ベースシート
４７………保護層
【図１】
2013235958.tif 000003
【図２】
2013235958.tif 000004
【図３】
2013235958.tif 000005
【図４】
2013235958.tif 000006
【図５】
2013235958.tif 000007
【図６】
2013235958.tif 000008
【図７】
2013235958.tif 000009
【図８】
2013235958.tif 000010
【図９】
2013235958.tif 000011